(57)【要約】      （修正有）【課題】容易に無水蒸気状態を作ることが可能な安価な乾燥空気供給装置を提供する。【解決手段】乾燥剤を収容する乾燥剤収容容器１０と、該乾燥剤収容容器１０内に収容された乾燥剤の上方から収容容器１０内に外気が通入可能な外気通入路１２と、前記乾燥剤収容容器１０内に収容された乾燥剤中又はその下方から収容容器１０外に空気が通出可能な空気通出路１４と、該空気通出路１４を介して前記乾燥剤収容容器１０内の空気を他の装置１６に供給する空気供給部１８と、を備えたことを特徴とする乾燥空気供給装置である。【選択図】図１
0003108298.tif 000002
【実用新案登録請求の範囲】
【請求項１】
乾燥剤を収容する乾燥剤収容容器と、
該乾燥剤収容容器内に収容された乾燥剤の上方から収容容器内に外気が通入可能な外気通入路と、
前記乾燥剤収容容器内に収容された乾燥剤中又はその下方から収容容器外に空気が通出可能な空気通出路と、
該空気通出路を介して前記乾燥剤収容容器内の空気を他の装置に供給する空気供給部と、を備えたことを特徴とする乾燥空気供給装置。
【考案の詳細な説明】
【技術分野】
【０００１】
本考案は、他の装置に乾燥空気を供給可能な乾燥空気供給装置に関する。
【背景技術】
【０００２】
従来から、一度に、同一条件又は異なる条件で多種類の試薬の合成を行い、その合成された試薬について一斉に検定を行うものとして、有機合成装置が使用されている。この有機合成装置は、反応容器内の試薬を撹拌・加熱することによって、反応容器に収容された試薬を合成するものであって、図３に示すように、一般に複数の反応容器４０を把持可能な反応容器把持部４２と、反応容器把持部４２に把持された反応容器４０内の試薬を撹拌するとともに、反応容器４０の下方を加熱する撹拌部４４と、反応容器４０の開口に装着され、反応容器４０内に試薬を添加可能な試薬添加部４６と、を備えており、反応容器４０の下方が撹拌部４４によって加熱されると、反応容器４０に充填された試薬が蒸発するが、反応容器４０の還流用ブロック４８の位置で冷やされて結露され、再び液体に戻されるよう構成されている（特許文献１）。
【０００３】
しかしながら、このように有機合成装置は、反応容器４０において加熱と冷却を行なっているため、冷却が行なわれる還流用ブロック４８付近には、結露が生じて濡れた状態になったり、また反応容器が曇った状態となる場合がある。このように結露が生じたり、反応容器が曇った状態となると、有機合成装置が稼動中に反応容器内の試料の反応過程を観察することができないという問題がある。
このような問題を解決するため、撹拌部４４と還流用ブロック４８の間には、還流ブロック４８など冷却される領域Ｘを囲むカバー５０を設け、そのカバー５０内に窒素ガスを供給して充填することにより、冷却される領域Ｘを無水蒸気状態とし、これにより結露が生じたり、反応容器が曇ったりするのを防止している。    
【０００４】
【特許文献１】特開平１１−１３７９９０号公報
【考案の開示】
【考案が解決しようとする課題】
【０００５】
しかしながら、窒素を供給するためには、窒素ボンベやレギュレターなど特殊な装置が必要となり、各実験室においてこれらを備えるのは、困難である。
【０００６】
そこで、本考案は、容易に無水蒸気状態を作ることが可能な安価な乾燥空気供給装置を提供することを目的とする。
【課題を解決するための手段】
【０００７】
以上の目的を達成するため、本考案は、乾燥剤を収容する乾燥剤収容容器と、該乾燥剤収容容器内に収容された乾燥剤の上方から収容容器内に外気が通入可能な外気通入路と、前記乾燥剤収容容器内に収容された乾燥剤中又はその下方から収容容器外に空気が通出可能な空気通出路と、該空気通出路を介して前記乾燥剤収容容器内の空気を他の装置に供給する空気供給部と、を備えたことを特徴とする乾燥空気供給装置である。
【考案の効果】
【０００８】
以上のように、本考案によれば、容易に無水蒸気状態を作ることが可能な安価な乾燥空気供給装置を提供することができる。
【考案を実施するための最良の形態】
【０００９】
次に、本考案に係る乾燥空気供給装置の実施例について図面に基づいて説明する。図１は、本実施例に係る乾燥空気供給装置と乾燥空気が供給される有機合成装置の概念図である。本実施例に係る乾燥空気供給装置は、乾燥剤を収容する乾燥剤収容容器１０と、乾燥剤収容容器１０内に外気が通入可能な外気通入管１２と、乾燥剤収容容器１０内の空気を収容容器外に通出可能な空気通出管１４と、空気通出管１４を介して乾燥剤収容容器内の空気を有機合成装置１６に供給する空気供給部１８と、を備えている。
【００１０】
乾燥剤収容容器１０は、図２に示すように上方に開口部２０を有しており、透明の素材、例えば透明ガラスから構成されている。乾燥剤収容容器１０に収容される乾燥剤Ａとしては、例えばシリカゲルやモレキュラシーブなどがある。乾燥剤収容容器１０の開口部２０には、その開口部２０の周面に螺合可能な蓋部材２２が設けられており、この蓋部材２２には、外気通入管１２及び空気通出管１４が貫通可能な貫通孔２２Ａが形成されている。また、蓋部材２２の内側には、ゴムなどの弾性素材から構成されたリング状のパッキング部材２４が設けられている。このパッキング部材２４は、その内周面が蓋部材２２の貫通孔２２Ａに挿入された外気通入管１２の外周面に密着するとともに、蓋部材２２が乾燥剤収容容器１０に螺着した際に、その開口部２０の上面に位置するように設けられている。このパッキング部材２４は、このように設けられることにより、乾燥剤収容容器１０内の外気通入管１２及び空気通出管１４以外を密封状態にすることができる。
【００１１】
外気通入管１２は、上方が球状に形成され、底面に開口を有する先端部１２Ａと、先端部１２Ａの斜め上に連通し、先端部１２Ａよりも小径な通路部１２Ｂと、から構成されており、先端部１２Ａは、蓋部材２２より若干下方に突出するように、蓋部材２２の貫通孔２２Ａに挿入されている。空気通出管１４は、乾燥剤収容容器１０の底面から若干離れた位置から蓋部材２２に挿入された大径の外気通入管１２の内側まで直線状に延びる第１部１４Ａと、第１部１４Ａに連通するとともに、外気通入管１２の先端部１２Ａを貫通し、その後、直角に湾曲して、空気供給部１８まで延在する第２部１４Ｂと、から構成されており、第１部１４Ａの基端１４Ａ１は、塞がれているが、基端１４Ａ１近傍の周面１４Ａ２は、フィルタ状に微細孔が形成されている。空気通出管１４の第２部１４Ｂが外気通入管１２を貫通する部分において、両者は、密着しており、これら外気通入管１２及び空気通出管１４は、例えばガラスなどから構成されている。以上のような構成から、外気通入管１２から空気が乾燥剤収容容器１０の上方から供給され、その後、収容された乾燥剤Ａを通って、収容容器１０の底部まで導かれ、空気通出管１４の基端１４Ａ１近傍の周面１４Ａ２から空気通出管１４内に誘導され、収容容器１０の外に排出される。したがって、収容容器１０に供給される空気は、必ず乾燥剤Ａを通って、排出されるので、乾燥された空気を排出することができる。
【００１２】
空気供給部１８は、図１に示すように吸引ポンプ２６と、吸引ポンプ２６と有機合成装置１６を連通する供給管２８と、を備えている。吸引ポンプ２６には、空気通出管１４の先端が連接されており、吸引ポンプ２６は、乾燥剤収容容器１０から空気通出管１４を介して乾燥された空気を吸引し、その吸引した乾燥空気を有機合成装置１６に供給管２８を介して供給できるよう構成されている。
【図面の簡単な説明】
【００１３】
【図１】本発明に係る乾燥空気供給装置の実施例と乾燥空気が供給される有機合成装置の概念図である。
【図２】本実施例に係る乾燥空気供給装置の乾燥剤収容容器、外気通入管及び空気通出管の正面断面図である。
【図３】従来の有機合成装置の正面概念図である。
【符号の説明】
【００１４】
１０   乾燥剤収容容器
１２   外気通入管
１４   空気通出管
１６   有機合成装置
１８   空気供給部
Ａ     乾燥剤（シリカゲルやモレキュラシーブ）
【図１】
0003108298.tif 000003
【図２】
0003108298.tif 000004
【図３】
0003108298.tif 000005